(57)【要約】【課題】  ガスタービン燃焼器に流入する希釈空気の調整を容易にする。【解決手段】  燃焼筒に周方向に取り巻くスライドリングを環装する。スライドリングには外孔が設けられている。燃焼筒のスライドリングに覆われた部分には内孔が設けられている。外孔と内孔とを位置あわせすることにより、燃焼筒の内部と外部を連通する開口部ができ、希釈空気が燃焼領域に流入する。内孔と外孔との数や大きさを変えることにより、希釈空気の流量、流入する場所がさまざまに調整される。【選択図】図１
2006090685.tif 000002
【特許請求の範囲】
【請求項１】
内部に燃焼空間を形成し、前記燃焼空間に通じる孔を有する燃焼筒と、
前記燃焼筒に対して摺動可能に接続され、摺動することにより前記孔と位置が重なる外孔を有する摺動部材と
を具備する
ガスタービン燃焼器。
【請求項２】
前記摺動部材は、前記燃焼筒を周方向に取り巻くリング状の部材である
ガスタービン燃焼器。
【請求項３】
請求項１または２に記載されたガスタービン燃焼器であって、
前記摺動部材は前記燃焼筒に対して周方向に摺動可能である
ガスタービン燃焼器。
【請求項４】
請求項３に記載されたガスタービン燃焼器であって、
前記外孔は大きさの異なる第１外孔と第２外孔とを含み、
前記摺動部材は、周方向に摺動することにより、前記孔と前記第１外孔との位置が重なるモードと、前記孔と前記第２外孔との位置が重なるモードとを取り得る
ガスタービン燃焼器。
【請求項５】
請求項３または４に記載されたガスタービン燃焼器であって、
前記外孔は、複数の孔を含む第１外孔群と、前記第１外孔群と孔の数が異なる第２外孔群とを含み、
前記摺動部材は、周方向に摺動することにより、前記第１外孔群の位置が前記孔の位置に重なるモードと、前記第２外孔群の位置が前記孔の位置に重なるモードとを取り得る
ガスタービン燃焼器。
【請求項６】
請求項５に記載されたガスタービン燃焼器であって、
前記第１外孔群と前記第２外孔群とのうち孔の数が少ない方は、孔の大きさが他方よりも大きい
ガスタービン燃焼器。
【請求項７】
請求項１から６のうちのいずれか１項に記載されたガスタービン燃焼器であって、
前記摺動部材は、前記燃焼筒に対して軸方向に摺動可能である
ガスタービン燃焼器。
【請求項８】
請求項７に記載されたガスタービン燃焼器であって、
前記摺動部材は、軸方向に異なる位置にあり大きさの異なる第３外孔と第４外孔とを有し、
前記摺動部材は、軸方向に摺動することにより、前記孔と前記第３外孔とが重なるモードと、前記孔と前記第４外孔とが重なるモードとを取り得る
ガスタービン燃焼器。
【請求項９】
請求項７または８に記載されたガスタービン燃焼器であって、
前記外孔は、複数の孔を含む第３外孔群と、前記第３外孔群と軸方向に異なる位置に設けられ前記第３外孔群と孔の数が異なる第４外孔群とを含み、
前記摺動部材は、軸方向に摺動することにより、前記第３外孔群が前記孔の位置に重なるモードと、前記第４外孔群が前記孔の位置に重なるモードとを取り得る
ガスタービン燃焼器。
【請求項１０】
請求項９に記載されたガスタービン燃焼器であって、
前記第３外孔群と前記第４外孔群とのうちの孔の数が少ない方は、孔の大きさが他方よりも大きい
ガスタービン燃焼器。
【請求項１１】
請求項１から１０のうちのいずれか１項に記載されたガスタービン燃焼器であって、
前記外孔に脱着可能に取り付けられるオリフィス
を具備する
ガスタービン燃焼器。
【請求項１２】
内部に燃焼空間を形成し、希釈用の空気を取り入れるための孔を有する燃焼筒と、
前記孔に脱着可能に取り付けられるオリフィス
を具備する
ガスタービン燃焼器。
【請求項１３】
請求項１から１２のうちのいずれか１項に記載されたガスタービン燃焼器であって、
前記孔に脱着可能に取り付けられ、前記燃焼空間の方に延長し、前記燃焼空間に流入する空気の流れる方向を調整するノズル
を具備する
ガスタービン燃焼器。
【請求項１４】
内部に燃焼空間を形成し、希釈用の空気を取り入れるための孔を有する燃焼筒と、
前記孔に脱着可能に取り付けられ、前記燃焼空間の方に延長し、前記燃焼空間に流入する空気の流れる方向を調整するノズル
を具備する
ガスタービン燃焼器。
【請求項１５】
請求項１から１４のうちのいずれか１項に記載されたガスタービン燃焼器であって、
前記孔から前記燃焼空間に流入する空気の量を制御するバタフライ弁
を具備する
ガスタービン燃焼器。
【請求項１６】
内部に燃焼空間を形成し、希釈用の空気を取り入れるための孔を有する燃焼筒と、
前記孔から流入する空気の量を制御するバタフライ弁
とを具備する
ガスタービン燃焼器。
【請求項１７】
請求項１から１６までのいずれか１項に記載されたガスタービン燃焼器により生成された燃焼ガスによりタービンの動翼を回転させるガスタービンプラント。
【発明の詳細な説明】
【技術分野】
【０００１】
本発明は、ガスタービン燃焼器に導入される希釈空気の量を制御する技術に関する。
【背景技術】
【０００２】
ガスタービン燃焼器では、燃料組成、運転状況が変わるたびに、安定な燃焼が可能となるように調整や設計変更が必要とされる。こうした調整や設計変更を容易に行うことが可能となる技術が求められている。
【０００３】
特許文献１には、ケーシング内に、蒸気流方向に対して直角に壁面を設けるとともにこの壁面に周方向に複数の蒸気流路を設け、この壁面の上流側に対峙された弁体により前記蒸気流路を開閉して蒸気流量を制御する蒸気流量制御弁において、前記弁体を、壁面に対して平行な方向以外の方向に移動させて蒸気流量を制御することを特徴とする蒸気流量制御弁が知られている。
【０００４】
特許文献２には、抽気系統を備えた蒸気タービンのほぼ全周にノズル室を設けるとともに、上記のノズル室を円周方向に複数個に区分し、区分した各ノズル室ごとに抽気加減弁を設け、かつ、上記の抽気加減弁の弁座をタービン軸と垂直に配設したことを特徴とする抽気加減弁装置が知られている。
【０００５】
【特許文献１】特開昭５７−２８８１２号公報
【特許文献２】特開昭５９−７７０７号公報
【発明の開示】
【発明が解決しようとする課題】
【０００６】
本発明の目的は、希釈空気の流量を調整することが容易なガスタービン燃焼器を提供することである。
【０００７】
本発明の他の目的は、希釈空気の流れ方向を調整することが容易なガスタービン燃焼器を提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００９】
本発明によるガスタービン燃焼器は、内部に燃焼領域（１４）を形成し、燃焼領域（１４）に通じる孔（１０）を有する燃焼筒（２）と、燃焼筒（２）に対して摺動可能に接続され、摺動することにより孔（１０）と位置が重なる外孔（８）を有する摺動部材（４）とを備えている。
【００１０】
本発明によるガスタービン燃焼器において、摺動部材（４）は、前記燃焼筒を周方向に取り巻くリング状の部材である。
【００１１】
本発明によるガスタービン燃焼器において、摺動部材（４）は燃焼筒（２）に対して周方向に摺動可能である。
【００１２】
本発明によるガスタービン燃焼器において、外孔（８）は大きさの異なる第１外孔（８ａ）と第２外孔（８ｂ）とを含んでいる。摺動部材（４）は、周方向に摺動することにより、孔（１０）と第１外孔（８ａ）との位置が重なるモードと、孔（１０）と第２外孔（８ｂ）との位置が重なるモードとを取り得る。
【００１３】
本発明によるガスタービン燃焼器において、外孔（８）は、複数の孔（１０）を含む第１外孔群（８ｃ）と、第１外孔群（８ｃ）と孔（１０）の数が異なる第２外孔群（８ｄ）とを含んでいる。摺動部材（４）は、周方向に摺動することにより、第１外孔群（８ｃ）の位置が孔（１０）の位置に重なるモードと、第２外孔群（８ｄ）の位置が孔（１０）の位置に重なるモードとを取り得る。
【００１４】
本発明によるガスタービン燃焼器において、第１外孔群（８ｃ）と第２外孔群（８ｄ）とのうち孔の数が少ない方は、孔（１０）の大きさが他方よりも大きい。
【００１５】
本発明によるガスタービン燃焼器において、摺動部材（４）は、燃焼筒（２）に対して軸方向に摺動可能である。
【００１６】
本発明によるガスタービン燃焼器において、摺動部材（４）は、軸方向に異なる位置にあり大きさの異なる第３外孔（８ｅ）と第４外孔（８ｆ）とを有する。摺動部材（４）は、軸方向に摺動することにより、孔（１０）と第３外孔（８ｅ）とが重なるモードと、孔（１０）と第４外孔（８ｆ）とが重なるモードとを取り得る。
【００１７】
本発明によるガスタービン燃焼器において、外孔（８）は、複数の孔（１０）を含む第３外孔群（８ｅ）と、第３外孔群（８ｅ）と軸方向に異なる位置に設けられ第３外孔群（８ｅ）と孔（１０）の数が異なる第４外孔群（８ｇ）とを含んでいる。摺動部材（４）は、軸方向に摺動することにより、第３外孔群（８ｅ）が孔（１０）の位置に重なるモードと、第４外孔（８ｇ）群が孔（１０）の位置に重なるモードとを取り得る。
【００１８】
本発明によるガスタービン燃焼器。において、第３外孔群（８ｅ）と第４外孔群（８ｇ）とのうちの孔（１０）の数が少ない方は、孔（１０）の大きさが他方よりも大きい。
【００１９】
本発明によるガスタービン燃焼器は、外孔（８）に脱着可能に取り付けられるオリフィス（１６）を備えている。
【００２０】
本発明によるガスタービン燃焼器は、内部に燃焼領域（１４）を形成し、希釈用の空気を取り入れるための孔（１０）を有する燃焼筒（２）と、孔（１０）に脱着可能に取り付けられるオリフィス（１０）とを備えている。
【００２１】
本発明によるガスタービン燃焼器は、孔（１０）に脱着可能に取り付けられ、燃焼領域（１４）の方に延長し、燃焼領域（１４）に流入する空気の流れる方向を調整するノズル（１２）を備えている。
【００２２】
本発明によるガスタービン燃焼器は、内部に燃焼領域（１４）を形成し、希釈用の空気を取り入れるための孔（１０）を有する燃焼筒（２）と、孔（１０）に脱着可能に取り付けられ、燃焼領域（１４）の方に延長し、燃焼領域（１４）に流入する空気の流れる方向を調整するノズル（１２）とを備えている。
【００２３】
本発明によるガスタービン燃焼器は、孔（１０）から流入する空気の量を制御するバタフライ弁（図示せず）を備えている。
【００２４】
本発明によるガスタービン燃焼器は、内部に燃焼領域（１４）を形成し、希釈用の空気を取り入れるための孔（１０）を有する燃焼筒（２）と、孔（１０）から流入する空気の量を制御するバタフライ弁（図示せず）とを備えている。
【００２５】
本発明によるガスタービンプラントは、本発明によるガスタービン燃焼器により生成された燃焼ガスによりタービンの動翼を回転させる。
【発明の効果】
【００２６】
本発明によれば、希釈空気の流量を調整することが容易なガスタービン燃焼器が提供される。
【００２７】
さらに本発明によれば、希釈空気の流れ方向を調整することが容易なガスタービン燃焼器が提供される。
【発明を実施するための最良の形態】
【００２８】
以下、図面を参照しながら、本発明におけるガスタービン燃焼器を実施するための最良の形態について詳細に説明する。
【００２９】
図１を参照すると、実施の形態におけるガスタービン燃焼器が示されている。ガスタービン燃焼器は、内部に燃焼空間を形成する燃焼筒２と、燃焼空間に燃料を噴射する燃料ノズル６を備えている。燃焼筒２の外側には、スライドリング４が環装される。スライドリング４は、燃焼筒２に対して周方向に摺動可能である。スライドリング４には、周方向にスライドリング４を貫通する外孔８が設けられている。図１ではスライドリング４に隠れて見えないが、燃焼筒２のスライドリング４に隠れている部分には、内孔が設けられている。
【００３０】
図２を参照すると、ガスタービン燃焼器の断面図が描かれている。図２に示されているのは、スライドリング４が周方向に摺動することにより外孔８と内孔１０の位置が重なった場合である。外孔８と内孔１０とが重なることにより出来る開口部を介して、ガスタービン燃焼器の外部から希釈空気が燃焼領域１４に流入する。内孔１０には、希釈空気の流れを調整するためのノズル１２が装着されている。
【００３１】
図３を参照すると、外孔８、内孔１０、及び開口部９の関係が示されている。内孔１０は燃焼筒２に設けられた孔であり、その位置は固定されている。それに対して、外孔８はスライドリング４が周方向に摺動することにより燃焼筒２の周方向に移動する。その結果、内孔１０と外孔８との重なった位置が開口部９となる。開口部９において、空気はガスタービン燃焼器の外部から燃焼空間１４に流入する。
【００３２】
図４を参照すると、燃焼筒２の中心軸に垂直な断面で切断したときの内孔１０、外孔８の断面図が描かれている。図４に描かれているのが、燃焼筒２の壁面がほぼ鉛直方向に平行な部分であるとして説明を行う。図４Ａを参照して、内孔１０の中心が外孔８の中心に対して下側にあり、かつ開口部９を有するときは、開口部９から流入する空気の流れが下方向の運動量を持つように偏流する。逆に、図４Ｂを参照して、内孔１０の中心が外孔８の中心に対して上側にあり、かつ開口部９を有するときは、開口部９から流入する空気の流れが上方向の運動量を持つように偏流する。同様に、垂直な壁面以外の他の部分においても、スライドリング４の位置の調整により、このように燃焼空間１４に流入する空気の流れを燃焼筒２の周方向に偏流するように調整することが可能である。
【００３３】
図５を参照すると、燃焼筒２の中心軸に垂直な平面で切断したときの内孔１０と外孔８との関係を示す断面図が示されている。図５の例では、燃焼筒２に内孔１０が８個、スライドリング４に内孔１０と同じ角度の間隔で内孔１０と同じ大きさの外孔８ａが８個、スライドリング４に更に内孔１０と同じ角度の間隔で内孔より小さい外孔８ｂが８個ある例が示されている。
【００３４】
図５Ａを参照すると、内孔１０と同じ大きさの外孔８ａと内孔１０とが対応する位置にある（燃焼筒２の周方向に同じ角度にある）。こうした状態のとき、多くの希釈空気が燃焼空間１４に流入する。図５Ｂを参照すると、内孔１０よりも小さい大きさの外孔８ｂと内孔１０とが対応する位置にある。こうした状態のとき、図５Ａの場合よりも少ない希釈空気が燃焼空間１４に流入する。このようにして希釈空気の流入量を調整することが可能である。
【００３５】
図６を参照すると、燃焼筒２の中心軸に垂直な平面で切断したときの内孔１０と外孔８との他の関係を示す断面図が示されている。図６の例では、燃焼筒２には内孔１０が８個設けられている。スライドリング４には内孔１０と同じ角度の間隔で８個の外孔８ｃが設けられている。スライドリング４には更に、先の８個の外孔８とは異なる位置に、隣接する内孔１０の角度の２倍の角度を空けて、４個の外孔８ｄが設けられている。
【００３６】
図６Ａを参照すると、内孔１０と８個の外孔８ｃとが対応する位置にある。この状態では、８箇所の開口部から希釈空気が燃焼領域１４に流入する。図６Ｂを参照すると、内孔１０と４個の外孔８ｄとが対応する位置にある。この状態では、４箇所の開口部から希釈空気が燃焼領域１４に流入する。このようにして希釈空気の流入量及び流入する位置を調整することが可能である。更に、孔の数を少なくすることにより、局所的に濃度が高い部分を形成し、安定燃焼を図ることができる。
【００３７】
図６を参照して説明された例の変型例として、開口部の数が少ない条件のときに開口部を大きくし、開口部の数が多い条件のときに開口部を小さくする（すなわち、外孔８の大きさを小さくする）ことが考えられる。このようにすると、孔の数が異なる条件においても、希釈空気の貫通力を一定に近く保つことができ、好ましい。
【００３８】
図７を参照すると、本発明の他の実施の形態によるガスタービン燃焼器が示されている。ガスタービン燃焼器は、内部に燃焼空間を形成する燃焼筒２と、燃焼領域に燃料を噴射する燃料ノズル６とを備えている。燃焼筒２の外側には、スライドリング４が環装されている。スライドリング４は、燃焼筒２の中心軸と平行な方向に摺動可能である。こうしたスライドリング４は、燃焼筒の周方向に摺動するスライドリングに比べて、弁の開閉機構を単純化できる。
【００３９】
図８を参照すると、ガスタービン燃焼器の断面図が描かれている。図８に示されているのは、スライドリング４が燃焼筒２の中心軸に平行な方向に摺動することにより外孔８と内孔１０の位置が重なった場合である。外孔８と内孔１０とが重なることにより出来る開口部から、ガスタービン燃焼器の外部から希釈空気が燃焼領域１４に流入する。内孔１０には、希釈空気の流れを調整するためのノズル１２が装着されている。
【００４０】
図９を参照すると、外孔８、内孔１０、及び開口部９の関係が示されている。内孔１０は燃焼筒２に設けられた孔であり、その位置は固定されている。それに対して、外孔８はスライドリング４が軸方向に摺動することにより燃焼筒２の中心軸に平行な方向に移動する。その結果、内孔１０と外孔８との重なった位置が開口部９となる。開口部９において、空気はガスタービン燃焼器の外部から燃焼空間１４に流入する。
【００４１】
図１０を参照すると、燃焼筒２の中心軸に水平な断面で切断したときの内孔１０、外孔８の断面図が描かれている。図４Ａを参照して、内孔１０の中心が外孔８の中心に対して下流側（燃料ノズル６から遠い方）にあり、かつ開口部９を有するときは、開口部９から流入する空気の流れが下流側方向の運動量を持つように偏流する。逆に、図４Ｂを参照して、内孔１０の中心が外孔８の中心に対して上流側にあり、かつ開口部９を有するときは、開口部９から流入する空気の流れが上流側方向の運動量を持つように偏流する。スライドリング４の位置の調整により、このように燃焼空間１４に流入する空気の流れを調整することが可能である。
【００４２】
図１１を参照すると、燃焼筒２とスライドリング４との側面図が示されている。図１１の例では、スライドリング４の、内孔１０と周方向の角度が対応する位置に、内孔１０と同じ大きさ、かつ同じ形状の外孔８ｅが設けられている。スライドリング４には更に、外孔８ｅと軸方向にずれた位置に、かつ内孔１０と周方向の角度が対応する位置に、外孔８ｅよりも小さい外孔８ｆが設けられている。
【００４３】
図１２を参照すると、上側の図では、外孔８ｅと内孔１０とが重なっている状態が描かれている。この状態では、内孔１０の大きさの開口部から燃焼空間に希釈空気が流入する。下側の図は、上側の図の状態からスライドリングを摺動させて、外孔８ｆと内孔１０とが重なるようになった状態を示している。この状態では、外孔８ｆの大きさの開口部から燃焼空間に希釈空気が流入する。このようにして、燃焼空間に流入する希釈空気の流量を変えることが可能である。
【００４４】
図１３を参照すると、燃焼筒２とスライドリング４との側面図が示されている。図１１の例では、スライドリング４の、内孔１０と周方向の角度が対応する位置に、内孔１０と同じ大きさ、かつ同じ形状の外孔８ｅが設けられている。スライドリング４には更に、外孔８ｅと軸方向にずれた位置に、かつ内孔１０のうちの１つとびに半数を選び出したものと角度が対応する位置に、外孔８ｇが設けられている。
【００４５】
図１４を参照すると、上側の図では、外孔８ｅと内孔１０とが重なっている状態が描かれている。この状態では、すべての内孔１０から燃焼空間に希釈空気が流入する。下側の図は、上側の図の状態からスライドリングを摺動させて、外孔８ｇと内孔１０とが重なるようになった状態を示している。この状態では、一つ置きの内孔１０から燃焼空間に希釈空気が流入する。このようにして、燃焼空間に流入する希釈空気の流量と、希釈空気が燃焼空間に流入する場所とを調整することが可能である。更に、孔の数を減少することにより局所的に濃度が高い部分が形成され、安定燃焼が図られる。
【００４６】
図１４を参照して説明された例の変型例として、開口部の数が少ない条件のときに開口部を大きくし、開口部の数が多い条件のときに開口部を小さくする（すなわち、外孔８ｅの大きさを小さくする）ことが考えられる。このようにすると、孔の数が異なる条件においても、希釈空気の貫通力を一定に近く保つことができ、好ましい。
【００４７】
図１から図６を参照して説明されたスライドリングを周方向に移動する機構と、図７から図１４を参照して説明されたスライドリングを軸方向に移動する機構とは、同一のガスタービン燃焼器に対して同時に適用することが可能である。この場合、スライドリングを周方向及び軸方向に移動することにより、さまざまな開口部の条件を設定することが可能である。それにより、希釈空気の流入量、流入する場所、偏流の条件がさまざまに設定される。
【００４８】
図１５を参照すると、燃焼空間１４への希釈空気の流量を調整する他の方法が示されている。スライドリング４の外孔８に、ねじ込みなどにより脱着可能なオリフィスを取り付ける。これにより、空気の流量を容易に調節することができる。この方法は、スライドリング４を有しないガスタービン燃焼器にも適用可能である。その場合、燃焼筒の内孔１０にオリフィスが取り付けられる。
【００４９】
図１６を参照すると、希釈空気の流れを調整する他の方法が示されている。内孔１０に取り付けられるノズル１２ａを、ねじ込みなどの脱着可能な手段により固定するようにする。すると、ノズル１２ａを、デザインの異なる他のノズル１２ｂに交換することにより、希釈空気の流れの調整が容易にできる。
【００５０】
更に、希釈空気の流量を調整する他の方法として、外孔８に、燃焼筒２の外側に向けて延長する筒を取り付け、その筒の内部にバタフライ弁を取り付ける方法がある。あるいは、スライドリング４を備えないガスタービン燃焼器において、内孔１０、または内孔１０から燃焼筒２の外側に向けて延長する筒の内部に、バタフライ弁を取り付ける方法がある。こうしたバタフライ弁の開閉を制御することにより、燃焼領域１４に流入する希釈空気の流量を容易に変えることができる。
【００５１】
以上に述べた本発明の実施の形態により、例えばガスタービンを設置したときの初期の調整が容易になる。さらに、ガスタービンを使用しているうちに燃焼条件、運転条件が変わったとき、それに追従して希釈空気の流れを調整することも容易になる。
【図面の簡単な説明】
【００５２】
【図１】図１は、ガスタービン燃焼器を示す。
【図２】図２は、ガスタービン燃焼器を側面から見た断面図を示す。
【図３】図３は、内孔と外孔の関係を示す。
【図４Ａ】図４Ａは、内孔と外孔と空気流の関係を示す。
【図４Ｂ】図４Ｂは、内孔と外孔と空気流の関係を示す。
【図５Ａ】図５Ａは、内孔と外孔との関係を示す断面図である。
【図５Ｂ】図５Ｂは、内孔と外孔との関係を示す断面図である。
【図６Ａ】図６Ａは、内孔と外孔との関係を示す断面図である。
【図６Ｂ】図６Ｂは、内孔と外孔との関係を示す断面図である。
【図７】図７は、ガスタービン燃焼器を示す。
【図８】図８は、ガスタービン燃焼器を側面から見た断面図を示す。
【図９】図９は、内孔と外孔との関係を示す。
【図１０Ａ】図１０Ａは、内孔と外孔と空気流の関係を示す。
【図１０Ｂ】図１０Ｂは、内孔と外孔と空気流の関係を示す。
【図１１】図１１は、スライドリングと燃焼筒の側面図を示す。
【図１２】図１２は、スライドリングと燃焼筒の位置関係によって決まる開口部を示す。
【図１３】図１３は、スライドリングと燃焼筒の側面図を示す。
【図１４】図１４は、スライドリングと燃焼筒の位置関係によって決まる開口部を示す。
【図１５】図１５は、燃焼筒とオリフィスを示す。
【図１６】図１６は、燃焼筒とノズルを示す。
【符号の説明】
【００５３】
２…燃焼筒
４…スライドリング
６…燃料ノズル
８…外孔
９…開口部
１０…内孔
１２…ノズル
１４…燃焼空間
１６…オリフィス
【図１】
2006090685.tif 000003
【図２】
2006090685.tif 000004
【図３】
2006090685.tif 000005
【図４Ａ】
2006090685.tif 000006
【図４Ｂ】
2006090685.tif 000007
【図５Ａ】
2006090685.tif 000008
【図５Ｂ】
2006090685.tif 000009
【図６Ａ】
2006090685.tif 000010
【図６Ｂ】
2006090685.tif 000011
【図７】
2006090685.tif 000012
【図８】
2006090685.tif 000013
【図９】
2006090685.tif 000014
【図１０Ａ】
2006090685.tif 000015
【図１０Ｂ】
2006090685.tif 000016
【図１１】
2006090685.tif 000017
【図１２】
2006090685.tif 000018
【図１３】
2006090685.tif 000019
【図１４】
2006090685.tif 000020
【図１５】
2006090685.tif 000021
【図１６】
2006090685.tif 000022